(57)【要約】【課題】前後を入れ替えることにより二種類以上の交換レンズのマウントに対し使用可能なアダプタを、異なるメーカーのカメラ本体に対し一部を交換することにより対応できるようにしたレンズ用アダプタ装置を提供すること。【解決手段】一方の面側にカメラ本体取付用マウントが設けられ、他方の面側にレンズ用マウントリングが着脱可能なリング装着部が設けられたカメラ用マウントリングと、一方の面側にレンズ用の第１のマウントが設けられ、他方の面側に前記第１のマウントとは異なるレンズ用の第２のマウントが設けられ、前記リング装着部に前後を入れ替えて着脱可能なレンズ用マウントリングにより構成されていることを特徴とする。【選択図】図１
2014048659.tif 000002
【特許請求の範囲】
【請求項１】
一方の面側にカメラ本体取付用マウントが設けられ、他方の面側にレンズ用マウントリングが着脱可能なリング装着部が設けられたカメラ用マウントリングと、一方の面側にレンズ用の第１のマウントが設けられ、他方の面側に前記第１のマウントとは異なるレンズ用の第２のマウントが設けられ、前記リング装着部に前後を入れ替えて着脱可能なレンズ用マウントリングにより構成されていることを特徴とするレンズ用アダプタ装置。
【請求項２】
前記カメラ用マウントリングの前記リング装着部には、前記レンズ用マウントリングを固定するための固定機構が設けられ、前記固定機構により前記レンズ用マウントリングは前記第１のマウント又は前記第２のマウントに取り付けられるレンズの所定のフランジバックを得られ固定されることを特徴とする請求項１に記載のレンズ用アダプタ装置。
【請求項３】
前記レンズ用マウントリングの前記第２のマウントは交換可能であることを特徴とする請求項１または２に記載のレンズ用アダプタ装置。
【請求項４】
前記カメラ用マウントリングの前記カメラ本体取付用マウントは交換可能であることを特徴とする請求項１〜３のいずれかに記載のレンズ用アダプタ装置。
【発明の詳細な説明】
【発明の詳細な説明】
【技術分野】
【０００１】  本発明は、フランジバックの短いカメラに、フランジバックの長い交換レンズを取り付けるためのアダプタ装置に関する。
【背景技術】
【０００２】  最近普及が著しいミラーレスあるいはノンレフと呼ばれる一眼カメラのようにフランジバックの短いカメラに、一眼レフカメラで使用されフランジバックの長い交換レンズを取り付ける場合には、フランジバックを調整するために専用のアダプタを用意する必要がある。【０００３】  また、カメラ本体のメーカーと異なるメーカーの交換レンズを取り付けようとする場合にもマウントとフランジバックが異なるため、そのカメラメーカーのマウントとフランジバックに合致させるためにそれぞれのメーカーに対応させた専用のアダプタが必要である。【０００４】  しかし、専用のアダプタであるためこのようにカメラ本体と交換レンズを一対一の関係で対応させるには、カメラ本体や交換レンズの数に応じて多数の形式のアダプタを準備しなければならない。また使わないときには紛失してしまうおそれもあった。【０００５】  そこで、特許文献１に示されるように、アダプタの片面にＣマウント用の突出部が設けられ、他面にＣＳマウント用の突出部が設けられ、アダプタの前後を入れ替えてカメラに取り付けることにより、一つのアダプタにより二種類のレンズに対応できるようにしたものがある。
【先行技術文献】
【０００６】
【特許文献１】実用新案登録第２５５７２８５号公報
【発明の概要】
【発明が解決しようとする課題】
【０００７】  特許文献１に示されるアダプタは一個のアダプタにより二つの異なる交換レンズのマウントに対して使用可能であるので、一対一の対応関係のアダプタと比べると必要となるアダプタを半減することが可能である。【０００８】  しかし、特許文献１のアダプタはカメラ本体に直接ビスにより固定する形式であるため、カメラメーカーが異なる場合にはそのメーカーに対応させたビス取付孔が形成されたアダプタが必要となる。したがって、異なるメーカーのカメラ本体で使用するためには、そのメーカー用のビス取付孔が形成された別のアダプタが必要となる。【０００９】  さらに、特許文献１はＣマウントとＣＳマウントを対象としているためフランジバックが異なるだけで口径は等しいため、アダプタの前後を入れ替えてもカメラ本体に対し同一のビス取付孔を利用して固定できるが、口径が異なる場合にはビス取付孔も口径に合わせて設ける必要がある。【００１０】  そこで、本発明は、かかる事情に鑑みてなされたものであり、その目的とするところは、前後を入れ替えることにより二種類以上の交換レンズのマウントに対し使用可能なアダプタを、異なるメーカーのカメラ本体に対し一部を交換することにより対応できるようにしたレンズ用アダプタ装置を提供することである。
【課題を解決するための手段】
【００１１】  上記目的を達成するために、本発明のレンズ用アダプタ装置は、一方の面側にカメラ本体取付用マウントが設けられ、他方の面側にレンズ用マウントリングが着脱可能なリング装着部が設けられたカメラ用マウントリングと、一方の面側にレンズ用の第１のマウントが設けられ、他方の面側に前記第１のマウントとは異なるレンズ用の第２のマウントが設けられ、前記リング装着部に前後を入れ替えて着脱可能なレンズ用マウントリングにより構成されていることを特徴とする。【００１２】  また、本発明においては、前記カメラ用マウントリングの前記リング装着部には、前記レンズ用マウントリングを固定するための固定機構が設けられ、前記固定機構により前記レンズ用マウントリングは前記第１のマウント又は前記第２のマウントに取り付けられるレンズの所定のフランジバックを得られ固定されることが好ましい。【００１３】  また、本発明においては、前記レンズ用マウントリングの前記第２のマウントは交換可能であることが好ましい。【００１４】  また、本発明においては、前記カメラ用マウントリングの前記カメラ本体取付用マウントは交換可能であることが好ましい。
【発明の効果】
【００１５】  本発明のレンズ用アダプタ装置は、カメラ用マウントリング（以下、カメラ用リング）とレンズ用マウントリング（以下、レンズ用リング）を着脱可能としたので、カメラ用リングを交換することにより異なるメーカーのカメラ本体に対してレンズ用リングが使用可能となる。また、レンズ用リングは前後を入れ替えてカメラ用リングに装着することにより、異なるマウントの交換レンズに対し一個のレンズ用リングで対応できる。結果として複数のメーカーのカメラ本体と交換レンズを有している場合に、これらを組み合わせて使用するために必要となるアダプタの数を減らすことができる。【００１６】  また、マウントに合わしてフランジバックも設定されるようにしたので、レンズ用リングは前後を入れ替えてカメラ用リングのリング装着部に装着した場合に、そのマウントに合ったフランジバックでもって交換レンズはカメラ本体に対して取り付けられることとなる。【００１７】  さらに、レンズ用リングの第２のマウントを他のマウントに交換することにより、第１のマウントと第２のマウント以外の他のマウントに対しても簡単に対応できる。また、カメラ用リングのカメラ本体取付用マウントを交換することにより、異なるメーカーのカメラ本体にもカメラ用リングが使用可能となる。結果として複数のメーカーのカメラ本体と交換レンズを有している場合に、これらを組み合わせて使用するために必要となるマウントの数をさらに減らすことができる。
【図面の簡単な説明】
【００１８】
【図１】本発明のレンズ用アダプタ装置にマウントＡ用交換レンズを取り付けた状態を示す説明図である。
【図２】本発明のレンズ用アダプタ装置にマウントＢ用交換レンズを取り付けた状態を示す説明図である。
【図３】本発明のレンズ用アダプタ装置でマウントＡ用交換レンズを取り付けるための組み合わせを示す一部切断斜視図である。
【図４】本発明のレンズ用アダプタ装置でマウントＢ用交換レンズを取り付けるための組み合わせを示す一部切断斜視図である。
【図５】レンズ用リングの斜視図である。
【図６】本発明のレンズ用アダプタ装置とカメラと交換レンズの取付例を示す分解斜視図である。
【発明を実施するための形態】
【００１９】  本発明のレンズ用アダプタ装置はカメラ用マウントリング（以下、カメラ用リング）とレンズ用マウントリング（以下、レンズ用リング）により構成されている。カメラ用リングはリング状で、一方の面側にカメラ本体取付用マウントが設けられ、他方の面側にレンズ用リングが着脱可能なリング装着部が設けられている。またレンズ用リングはリング状で、一方の面側に交換レンズ用の第１のマウントが設けられ、他方の面側に第１のマウントとはフランジバック及び口径が異なる他の交換レンズ用の第２のマウントが設けられ、カメラ用リングのリング装着部に前後を入れ替えて着脱可能になっている。
【００２０】  カメラ用リングのカメラ本体取付用マウントには、適用されるカメラメーカーに対応したマウントが設けられている。また、レンズ用リングの第１のマウントと第２のマウントは対象とする交換レンズに応じて任意の組み合わせとすることが可能である。ただし、基本的には第２のマウントの口径２ｂ’は第１のマウントの口径２ａ’より小さいものを選択する。なお、レンズ用リングは、第１のマウントと第２のマウントが分離できない一体的な構造でも、あるいは第１のマウントに対し第２のマウントを交換可能としてもどちらでもよい。
【００２１】  このような構成にすることにより、レンズ用リングは前後を入れ替えてカメラ用リングに装着することにより、第１のマウントと第２のマウントを一個のレンズ用リングで対応可能となる。さらに、カメラ用リングを交換することにより一個のレンズ用リングを異なるカメラメーカーのカメラにも使用できるので、結果として各カメラメーカーのカメラ本体に対応させたカメラ用リングを準備するだけで、レンズ用リングは複数のカメラメーカーのカメラ本体で使用可能となる。
【００２２】  また、本発明において好ましくは、カメラ用リングのリング装着部には、レンズ用リングを固定するための固定機構が設けられる。そして、この固定機構によりレンズ用リングは第１のマウント又は第２のマウントに取り付けられる交換レンズのフランジバックに設定されてカメラ用リングのリング装着部に固定されるようにする。第１のマウント又は第２のマウントのフランジバックにそれぞれ合わしてレンズ用リングは固定されるようにするのである。
【００２３】  このような構成にすることにより、レンズ用リングを前後を入れ替えてカメラ本体取付用マウントのリング装着部に装着した場合、自動的にその時の交換レンズのマウントに合致したフランジバックでもって、交換レンズはカメラ本体に取り付けられることとなる。
【００２４】  また、本発明において好ましくは、レンズ用リングの第２のマウントを交換可能とする。レンズ用リングを、第１のマウントが設けられているリング本体部と、第２のマウントが設けられている交換レンズＡマウントリングとの二部品から構成し、Ａマウントリングに代えて他の所望形式のマウントが設けられたマウントリングをリング本体部に取付、レンズ用リングとして機能するようにする。
【００２５】  このような構成にすることにより、第２のマウントを他のマウント、例えば第３のマウントに交換することにより、カメラ用リング全体を交換することなく第３のマウントを備えたアダプタとして使用可能となる。したがって、所持しなければならないアダプタ関係の部品点数を減らすことが可能となる。
【００２６】  例えば、４種類のカメラメーカーのカメラ本体で、３種類の交換レンズを使用することを想定し、比較する。従来の一対一の対応のアダプタの場合は、１２個のアダプタが必要となる。また、特許文献１に示されるものにあっては、各カメラメーカーのカメラ本体毎に２種類のアダプタが必要とするので、合計８個のアダプタが必要となる。本願発明のアダプタ装置の場合、４種類のカメラ用リングと、１個のレンズ用リングと、１個の第３のマウントが設けられたマウントリングの、合計６個を用意すればよい。
【００２７】  また、本発明において好ましくは、カメラ用リングのカメラ本体取付用マウントを交換可能とする。
【００２８】  このような構成にすることにより、カメラ用リング全体を交換する必要がなく、カメラ本体取付用マウントのみ異なった種類を準備すればよいので、より少ない部品点数で上記と同じ効果を得ることができる。
【実施例】
【００２９】  次に、本発明のレンズ用アダプタ装置の実施例を図１〜図６に基づいて説明する。
図１は本発明のレンズ用アダプタ装置にマウントＡ用交換レンズを取り付けた状態を示す説明図であり、固定機構としてクリック機構の例を示したものである。図２は本発明のレンズ用アダプタ装置にマウントＢ用交換レンズを取り付けた状態を示す説明図であり、固定機構としてクリック機構の例を示したものである。図３は本発明のレンズ用アダプタ装置でマウントＡ用交換レンズを取り付けるための組み合わせを示す一部切断斜視図であり、固定機構としてボールプランジャの例を示したものである。図４は本発明のレンズ用アダプタ装置でマウントＢ用交換レンズを取り付けるための組み合わせを示す一部切断斜視図であり、固定機構としてボールプランジャの例を示したものである。図５はレンズ用リングの斜視図であり、取付用溝をＬ字形状に形成した例を示したものである。図６は本発明のレンズ用アダプタ装置とカメラと交換レンズの取付例を示す分解斜視図であり、取付用溝としてレンズ用リングの外周状に一本の溝を設けた例を示したものである。【００３０】  カメラ用リング１はリング状に形成されており、片方の面側にはカメラ本体接続用マウント１ａが設けられている。また、他方の面側にはリング装着部１ｂが設けられている。そして、リング装着部１ｂには、後述するレンズ用リング２を固定するための固定機構として、図１及び図２に示すように止めネジ４ａ，クリックピンばね４ｂ，クリックボール４ｃより構成されるクリック機構４、または図３及び図４に示すボールプランジャ５が、３箇所設けられている。【００３１】  また図示しないが、カメラ用リング１はカメラ本体接続用マウント１ａとリング装着部１ｂを分離可能に構成し、分離したリング装着部を他メーカー用のカメラ本体接続用マウントと組み合わせて使用できるようにしてもよい。【００３２】  レンズ用リング２はリング状に形成されており、カメラ用リング１のリング装着部１ｂに挿脱可能となっている。そして、レンズ用リング２の片方の面側には第１のマウント２ａ、例えばマウントＢ２ａが設けられている。また、レンズ用リング２の他方の面側には第２のマウント２ｂ、例えばマウントＡ２ｂが設けられている。なお、設けられるマウントの組み合わせは本例に限定されるものではない。【００３３】  そして、レンズ用リング２の外周には、取り付けられる交換レンズに対応するフランジバックに適合する距離で接続するためのＡマウント取付用溝２ｃ及びＢマウント取付用溝２ｄがＬ字形状に設けられている。そして、Ａマウント取付用溝２ｃとＢマウント取付用溝２ｄの終端は、カメラ用リング１のリング装着部１ｂに設けられたクリック機構４のクリックボール４ｃやボールプランジャ５によりクリック状に位置決めがなされるよう半球状の凹部となっている。また、Ａマウント取付用溝とＢマウント取付用溝の位置が合致する場合には、図６に示すようにレンズ用リング２の外周上に一本の溝２ｆを設けるようにしてもよい。【００３４】  また、図５及び図６に示すように、マウントＡ２ｂが設けられたレンズＡマウントリング３部分と、レンズ用リング２のマウントＢ２ａが設けられているリング本体部２ｅを別体で構成し、交換レンズＡマウントリング３は結合用ねじ３ａによりリング本体部��ｅに第２のマウント２ｂとして配設できるようにしてもよい。このような構成にすると、第２のマウント２ｂとしては、最初に用意されたマウント以外に任意のマウントを取り付けて使用することが可能となる。なお、この場合、基本的には第２のマウント２ｂは第１のマウント２ａより口径の小さいものが適用可能である。【００３５】  また、レンズＡマウントリング３を他の第３のマウント用のマウントリングに交換すると、フランジバックがマウントＡと異なる可能性がある。このフランジバックを第３のマウントに合致させるためには、レンズ用リング２の外周に第３のマウント用の取付溝を設けるか、あるいは第３のマウント用のマウントリングの肉厚などを調整してリング本体部２ｅに対する第３のマウントの位置を調整し、Ａマウント取付用溝２ｃを第３のマウント用としてそのまま使用するようにしてもよい。【００３６】  また、レンズ用リング２をカメラ用リング１に固定する固定機構としては、図１及び図２に示すマウント取付用溝２ｃ、２ｄとクリック機構４や、図３及び図４に示すマウント取付用溝２ｃ、２ｄとボールプランジャ５による結合の他、ねじでの結合やバヨネットによる結合などが可能であり、固定できる方法であればその固定方法は何でもよい。【００３７】  次に、上記した本発明のレンズ用アダプタ装置の使用方法について説明する。
カメラ用リング１は、取り付けるカメラメーカーに適合するカメラ本体接続マウント１ａが設けられているものを使用する。また、レンズ用リング２も取り付ける交換レンズに適合する第１のマウント２ａと第２のマウント２ｂの組み合わせのものを使用する。なお、以下の説明においてはマウントＢ２ａとマウントＡ２ｂの組み合わせの場合について説明する。【００３８】  まず、マウントＡ用交換レンズ７を取り付ける場合は、アダプタ装置を図１及び図３に示すように組み立てる。すなわち、レンズ用リング２をマウントＢ２ａ側が奥側となりマウントＡ２ｂが手前側となるようにカメラ用リング１のリング装着部１ｂにＡマウント取付用溝２ｃに合わして挿入し、Ｌ字状の溝が突き当たったら回転させ溝終端の半球状の凹部で、クリック機構４のクリックボール４ｃやボールプランジャ５により位置決めして固定する。【００３９】  アダプタ装置をこのように組み立てたら、図１に示すようにカメラ本体接続マウント１ａによりカメラ本体６に接続し、また、マウントＡ用交換レンズ７をマウントＡ２ｂに接続する。Ａマウント取付用溝２ｃはマウントＡ用交換レンズ７のフランジバックに合わせて設けられているので、マウントＡ用交換レンズ７は適切なフランジバックのもとカメラ本体６に接続されることとなる。【００４０】  また、マウントＢ用交換レンズ８を取り付ける場合は、アダプタ装置を図２及び図４に示すように組み立てる。すなわち、レンズ用リング１をマウントＡ２ｂ側が奥側となりマウントＢ２ａが手前側となるようにカメラ用リング１のリング装着部１ｂにＢマウント取付用溝２ｄに合わして挿入し、Ｌ字状の溝が突き当たったら回転させ溝終端の半球状の凹状形状で、クリック機構４のクリックボール４ｃやボールプランジャ５により位置決めして固定する。【００４１】  アダプタ装置をこのように組み立てたら、図２に示すようにカメラ本体接続マウント１ａによりカメラ本体６に接続し、また、マウントＢ用交換レンズ８をマウントＢ２ａに接続する。Ｂマウント取付用溝２ｄはマウントＢ用交換レンズ８のフランジバックに合わして設けられているので、マウントＢ用交換レンズ８が適切なフランジバックのもとカメラ本体６に接続されることとなる。【００４２】  また、第３のマウントの交換レンズを使用する場合は、レンズ用リング２の結合用ねじ３ａを緩め、レンズＡマウントリング３をリング本体部２ｅから取り外す。そして、第３のマウントが設けられているマウントリングを結合用ねじ３ａを締め付けることによりリング本体部２ｅに取り付ける。なお、この作業はレンズ用リング２をカメラ用リング１に取り付けたままの状態でも、あるいは取り外された状態のどちらでも可能である。
【符号の説明】
【００４３】１      カメラ用マウントリング
１ａ    カメラ本体接続マウント
１ｂ    リング装着部
２      レンズ用マウントリング
２ａ    第１のマウント（マウントＢ）
２ａ’  第１のマウントの口径
２ｂ    第２のマウント（マウントＡ）
２ｂ’  第２のマウントの口径
２ｃ    Ａマウント取付用溝
２ｄ    Ｂマウント取付用溝
２ｅ    リング本体部
２ｆ    溝
３      レンズＡマウントリング
３ａ    結合用ねじ
４      クリック機構
４ａ    止めねじ
４ｂ    クリックピンばね
４ｃ    クリックボール
５      ボールプランジャ
６      カメラ本体
７      マウントＡ用交換レンズ
８      マウントＢ用交換レンズ
【図１】
2014048659.tif 000003
【図２】
2014048659.tif 000004
【図３】
2014048659.tif 000005
【図４】
2014048659.tif 000006
【図５】
2014048659.tif 000007
【図６】
2014048659.tif 000008